(57)【要約】【課題】  基板ケースのケース本体側の開口部を小さくできるようにする。【解決手段】基板ケース３４は、基板３３の一端側に対応する開口部３７が形成された箱状のケース本体３８と、ケース本体３８の開口部３７側に着脱自在に装着されたケース蓋３９とを備え、開口部３７側からケース本体３８内に基板３３をその板面方向に挿脱自在に挿入し、ケース蓋３９の基板３３の挿入方向と直交方向の両端部に、開口部３７側からケース本体３８内に挿脱自在に突出し且つ基板３３とケース本体３８の一方の板部４３との間に挿入されたときに基板３３をケース本体３８の他方の板部４２との間で挟持して固定状に保持する一対の保持部材５３を設ける。【選択図】    図４
2006218325.tif 000002
【特許請求の範囲】
【請求項１】
基板ケース（３４）内に、電気部品（４０）が装着された基板（３３）を収納してなる遊技機において、前記基板ケース（３４）は、前記基板（３３）の一端側に対応する開口部（３７）が形成された箱状のケース本体（３８）と、該ケース本体（３８）の前記開口部（３７）側に着脱自在に装着されたケース蓋（３９）とを備え、前記開口部（３７）側から前記ケース本体（３８）内に前記基板（３３）をその板面方向に挿脱自在に挿入し、前記ケース蓋（３９）の前記基板（３３）の挿入方向と直交方向の両端部に、前記開口部（３７）側から前記ケース本体（３８）内に挿脱自在に突出し且つ前記基板（３３）と前記ケース本体（３８）の一方の板部（４３）との間に挿入されたときに前記基板（３３）を前記ケース本体（３８）の他方の板部（４２）との間で挟持して固定状に保持する一対の保持部材（５３）を設けたことを特徴とする遊技機。
【発明の詳細な説明】
【技術分野】
【０００１】
本発明は、パチンコ機、アレンジボール機、雀球遊技機、回動式遊技機等の遊技機、取り分けその基板ケース及び基板の構造に関するものである。
【背景技術】
【０００２】
パチンコ機等の弾球遊技機では、遊技機本体の裏側に、基板ケースに収納された電源基板、主制御基板、払い出し制御基板、音声制御基板、ランプ制御基板等を設けている。
【０００３】
従来の基板ケースは、表板部を含むケース本体と、裏板部を含むケース蓋とに分割され、ケース本体の表板部と相対向する側に、基板の大きさ以上の開口部が形成されている。そして、基板を組み込む際には、ケース本体とケース蓋とを分離して、そのケース本体の開口部側からケース本体内に基板を板厚方向に挿脱自在に挿入してから、ケース本体の開口部側にケース蓋を装着して、ケース本体とケース蓋とによって基板を板厚方向の両側から挟んで固定するか、又はケース本体内にネジ等で基板を固定して、その後にケース本体の開口部側をケース蓋で塞ぐようにしている。
【発明の開示】
【発明が解決しようとする課題】
【０００４】
従来の基板ケースは、ケース本体に対して基板をその板厚方向に挿入する構造であるため、ケース本体にその表板部に対応して大きな開口部を形成する必要があり、またケース蓋もその大きな開口部を塞ぐだけの大きさにする必要がある。
【０００５】
このため従来の基板ケースでは、構造的にケース本体及びケース蓋の剛性が低下し、耐久性に欠ける問題がある。特に偏平状の基板ケースの場合には、ケース蓋は勿論のこと、ケース本体も偏平状になり、その偏平状のケース本体に大きな開口部を形成することになるため、その剛性が非常に大きな問題となる。
【０００６】
またパチンコ機等の弾球遊技機で使用する基板ケースでは、不正行為を防止するためにも開口部の大きさを極力小さくすることが望ましい。しかし、従来の基板ケースでは、ケース本体側の開口部が非常に大きくなるため、不正行為を招き易い等の問題もある。
【０００７】
本発明は、このような従来の問題点に鑑み、ケース本体側の開口部を小さくできるようにすることを目的とする。
【課題を解決するための手段】
【０００８】
本発明は、基板ケース３４内に、電気部品４０が装着された基板３３を収納してなる遊技機において、前記基板ケース３４は、前記基板３３の一端側に対応する開口部３７が形成された箱状のケース本体３８と、該ケース本体３８の前記開口部３７側に着脱自在に装着されたケース蓋３９とを備え、前記開口部３７側から前記ケース本体３８内に前記基板３３をその板面方向に挿脱自在に挿入し、前記ケース蓋３９の前記基板３３の挿入方向と直交方向の両端部に、前記開口部３７側から前記ケース本体３８内に挿脱自在に突出し且つ前記基板３３と前記ケース本体３８の一方の板部４３との間に挿入されたときに前記基板３３を前記ケース本体３８の他方の板部４２との間で挟持して固定状に保持する一対の保持部材５３を設けたものである。
【発明の効果】
【０００９】
本発明によれば、ケース本体３８側の開口部３７を小さくできる利点がある。
【発明を実施するための最良の形態】
【００１０】
以下、本発明の実施形態を図面に基づいて説明する。図１〜図８はパチンコ機等の弾球遊技機に採用した第１の実施形態を例示する。図１及び図２において、１は遊技機本体で、外枠２と、この外枠２に開閉自在に枢着された前枠３とを有する。前枠３には、その窓孔に対応して遊技盤４が裏側から着脱自在に装着され、また遊技盤４の前側にガラス扉５と前面板６とが開閉自在に配置されている。
【００１１】
前面板６には、発射用の遊技球を貯留する上皿７が装着されている。前枠３の下部には、余剰球を貯留する下皿８と、発射手段９の発射ハンドル１０とが設けられている。発射手段９は上皿７から供給される遊技球を遊技盤４の遊技領域１１へと発射するためのものである。
【００１２】
遊技盤４には、ガイドレール１２が環状に装着されると共に、そのガイドレール１２の内側の遊技領域１１に特別図柄表示手段１２ａ、普通図柄表示手段１３、特別図柄始動手段１４、普通図柄始動手段１５、可変入賞手段１６等の複数個の遊技部品が配置されている。
【００１３】
前枠３の裏側には、図２に示すように、遊技盤４を裏側から押さえる裏機構板１７が開閉自在に装着されている。裏機構板１７には、遊技盤４の裏側の裏カバー１８が嵌合する開口部１９が形成され、その上側に遊技球タンク２０、タンクレール２１が、左右方向の一側に払い出し手段２２が、下側に通路ユニット２３が夫々設けられている。
【００１４】
遊技球タンク２０は、遊技球補給系から補給された遊技球を貯留して、タンクレール２１を経て払い出し手段２２側へと供給するためのものである。払い出し手段２２は、賞球の払い出し指令等があったときに、遊技球タンク２０からタンクレール２１を経て供給される遊技球を払い出すためのもので、裏機構板１７の裏側に着脱自在に装着されている。通路ユニット２３は、払い出し手段２２により払い出された遊技球を上皿７へと案内し、また上皿７の遊技球が満杯状態のときに、余剰球を下皿８へと案内するようになっている。
【００１５】
裏カバー１８は、遊技盤４に装着された特別図柄表示手段１２ａの複数の遊技部品を裏側から覆うためのもので、遊技盤４に着脱自在に固定されている。裏カバー１８には、主制御基板２４を収納する主制御基板ケース２５と、ランプ制御基板２６を収納するランプ制御基板ケース２７と、音声制御基板２８を収納する音声制御基板ケース２９とが着脱自在に装着されている。
【００１６】
通路ユニット２３の裏側には、左右方向にケース取り付け板３０が装着され、このケース取り付け板３０の裏側に、払い出し制御基板３１を収納する払い出し制御基板ケース３２と、電源基板３３を収納する電源基板ケース３４とが左右に配置されている。払い出し制御基板ケース３２と電源基板ケース３４は、左右方向の一端側からケース取り付け板３０の上下一対の案内部３５間に摺動自在に挿入され、ケース取り付け板３０側の他端側のストッパー部（図示省略）と他端側の係止爪３６との間で着脱自在に固定されている。
【００１７】
電源基板ケース３４は、図３〜図６に示すように全体として略矩形状の偏平箱状であって、電源基板３３の一端側に対応する開口部３７が形成された偏平な箱状のケース本体３８と、このケース本体３８の開口部３７側に着脱自在に装着されたケース蓋３９とを備え、電源基板３３が開口部３７側からケース本体３８内にその板面方向に挿脱自在に挿入されている。なお、主制御基板ケース２５、ランプ制御基板ケース２７、音声制御基板ケース２９、払い出し制御基板ケース３２も、電源基板ケース３４と略同様に構成されている。
【００１８】
電源基板３３は矩形状であって、中央部分にトランス、トランジスタ、ＩＣ、その他の比較的大型の電気部品４０が装着され、周縁部分にその端縁に沿ってコネクタ４１が装着されている。この実施形態では、コネクタ４１は、電源基板３３の挿入方向と直交する方向の両端部に、その端縁に沿って１個又は複数個設けられている。なお、コネクタ４１は、電源基板３３の挿入方向と直交する方向の両端部の内、その一方に配置しても良いし、また開口部３７と反対側の端部に配置しても良い。
【００１９】
ケース本体３８は、電源基板３３の表裏両側に対応する表板部４２及び裏板部４３と、この表板部４２及び裏板部４３を連結する三方の周壁部４４，４５とを一体に備え、内部を透視可能な透明又は着色透明の合成樹脂材料によって一体に成型されている。裏板部４３は電源基板３３と略平行になっている。
【００２０】
表板部４２には、その内部の電源基板３３との間に、電気部品４０の収容空間を確保できるように表側に突出する台形状の突出部４７が形成されると共に、開口部３７側を除く周縁部分に突出部４７よりも低い段部４８が端縁に沿って形成されている。段部４８は、表板部４２の三方の周縁部分に、内側から電源基板３３の周縁部が当接するように形成され、またこの段部４８に電源基板３３のコネクタ４１が内側から嵌脱自在に嵌合する開口４９が各コネクタ４１に対応して形成されている。なお、突出部４７には、放熱用の小孔５０が多数形成されている。
【００２１】
なお、この実施形態では、表板部４２の三方の周縁部分に段部４８が形成されているが、段部４８は、電源基板３３側のコネクタ４１に対応して少なくとも電源基板３３の挿脱方向と直交する方向の両側にあれば十分である。
【００２２】
ケース本体３８の開口部３７は、ケース本体３８の表板部４２側に突出部４７と段部４８とがあるため、全体として略凸字状に開口しており、この開口部３７側で電源基板３３を段部４８よりも裏板部４３側の相対向する一対の両周壁部４４間に合わせた後、その裏板部４３に沿って板面方向に挿脱自在に挿入するようになっている。
【００２３】
ケース蓋３９は、開口部３７を形成するケース本体３８の表板部４２、裏板部４３及び一対の周壁部４４間に摺接するように、ケース本体３８の開口部３７側の形状に合わせて略凸字状に構成された嵌合壁部５１と、この嵌合壁部５１の外端側の端板部５２とを一体に備え、ケース本体３８の開口部３７側に嵌脱自在に嵌合されている。なお、ケース蓋３９は、ケース本体３８と同様、内部を透視可能な透明又は着色透明の合成樹脂材料によって一体に成型されている。
【００２４】
ケース蓋３９には、電源基板３３の挿入方向と直交する方向の両端部に、各周壁部４４，４５に沿ってケース本体３８内に突出する一対の棒状の保持部材５３が一体に設けられている。保持部材５３は、電源基板３３とケース本体３８の裏板部４３との間に開口部３７側から挿脱自在に挿入され、ケース本体３８内で段部４８と共に電源基板３３を表裏両側から挟持して固定状に保持するようになっている。また保持部材５３は、電源基板３３のコネクタ４１側に夫々対応しており、コネクタ４１に外部コネクタを接続するときに、電源基板３３にかかる加重を担持できる長さを持っている。なお、保持部材５３は、ケース蓋３９にネジ、係止構造を介して着脱自在に固定しても良い。
【００２５】
ケース本体３８の開口部３７側の端部とケース蓋３９の嵌合壁部５１には、その段部４８側の両端部に固定孔５４，５５が形成され、この固定孔５４，５５に螺合するネジ５６により、ケース蓋３９がケース本体３８に嵌合した状態で両者を着脱自在に固定するようになっている。なお、固定孔５４，５５は、突出部４７の両側に設けられている。
【００２６】
電源基板ケース３４内に電源基板３３を組み込む場合には、先ずケース本体３８とケース蓋３９とを分離し、開口部３７側からケース本体３８内に、その裏板部４３に沿って板面方向に電源基板３３を挿入する。次に図８に示すようにケース本体３８の裏板部４３と電源基板３３との間に、ケース蓋３９側の一対の保持部材５３の先端を入れ、その状態で裏板部４３及び電源基板３３に沿って摺動させながら保持部材５３をケース本体３８内へとａ矢示方向へと挿入する。
【００２７】
すると電源基板３３が一対の保持部材５３の挿入に伴って表板部４２側に移動し、各コネクタ４１が表板部４２の段部４８側の開口４９に裏側から嵌合して、その一部が開口４９から外側に突出する。そして、ケース蓋３９の嵌合壁部５１をケース本体３８の開口部３７内に嵌合させて、ケース蓋３９によってケース本体３８の開口部３７を塞ぎ、その後、ネジ５６でケース蓋３９をケース本体３８に固定する。
【００２８】
この実施形態では、偏平な箱状のケース本体３８の一端側に開口部３７を形成し、その開口部３７側から電源基板３３をその板面方向に挿脱自在に挿入することにより、ケース本体３８の開口部３７を小さくでき、ケース本体３８及びケース蓋３９の剛性を容易に確保でき、その剛性が向上する。また開口部３７を小さくできるため、不正行為等に対する対策も容易に講じることが可能である。
【００２９】
またケース蓋３９に一対の保持部材５３があり、これを電源基板３３と裏板部４３との間に挿入することによって、電源基板３３を段部４８と保持部材５３とによって表裏両側から挟持して固定できるので、ケース本体３８内での電源基板３３の固定も容易にできる。しかも保持部材５３の挿入によって、電源基板３３のコネクタ４１をケース本体３８側の開口４９に嵌合させることも可能であり、予めコネクタ４１を開口４９に嵌合させておく必要もない。
【００３０】
更に保持部材５３が電源基板３３のコネクタ４１に対応しているため、コネクタ４１に外部コネクタを挿入する場合にも、その加重を保持部材５３側で担持でき、電源基板３３側に過大の加重がかかることもない。勿論、コネクタ４１から外部コネクタを取り外す場合には、その抜き方向の加重をケース本体３８の段部４８側で担持できる。
【００３１】
図９は本発明の第２の実施形態を例示する。ケース本体３８には、その電源基板３３の挿入方向と平行な一方の端縁側の段部４８と、開口部３７と反対側の段部４８とに開口４９が形成され、また電源基板３３に、その各開口４９に対応してコネクタ４１が設けられている。
【００３２】
コネクタ４１は、第１の実施形態に例示のようにケース本体３８の相対向する二辺に設ける他、この実施形態のようにケース本体３８の隣り合う二辺側に設けても良い。勿論、ケース本体３８の開口部３７側を除く三辺側に設けることも可能である。
【００３３】
図１０及び図１１は本発明の第３の実施形態を例示する。この実施形態では、ケース本体３８には、開口部３７と反対側の端部側、例えば周壁部４５に電源基板３３の挿入方向の先端側が表裏方向に移動しないように係脱自在に係止する係止部５７が形成され、また表板部４２等の開口部３７側の端部に孔状の被係合部５８が形成されている。
【００３４】
ケース蓋３９には、一対の保持部材５３の他に、この保持部材５３との間で電源基板３３の後端側を表裏両側から係止する係止部５９が端板部５２等に設けられると共に、ケース蓋３９をケース本体３８の開口部３７側に嵌合させたときに、ケース本体３８の被係合部５８側に係脱自在に係合する爪状の係合部６０が形成されている。
【００３５】
この場合には、電源基板３３をケース本体３８内に挿入して、その先端側を係止部５７に係止する。次に、電源基板３３と裏板部４３との間に保持部材５３の先端を挿入しながら、ケース蓋３９をケース本体３８の開口部３７に嵌合させて塞ぐ。すると電源基板３３の後端側が保持部材５３と係止部５９との間に入ると共に、ケース蓋３９の係合部６０がケース本体３８の被係合部５８に内側から係合し、これによって内部の電源基板３３を固定でき、またケース蓋３９をケース本体３８に固定できる。この場合には、保持部材５３は、ケース蓋３９の嵌合壁部５１よりも突出しておれば良く、その長さを短くできる。勿論、保持部材５３は、少なくとも電源基板３３を挟んでコネクタ４１と対応するように長く構成しても良い。
【００３６】
図１２〜図１４は本発明の第４の実施形態を例示する。この実施形態では、ケース蓋３９側の一対の保持部材５３に、電源基板３３の端縁が摺動自在に嵌合する案内溝６１が形成され、ケース本体３８内で電源基板３３を案内溝６１を介して一対の保持部材５３により保持するようになっている。
【００３７】
この場合には、ケース本体３８内に電源基板３３を挿入した後、一対の保持部材５３の案内溝６１の先端側に、電源基板３３の後端側を嵌合させる。この状態で保持部材５３をケース本体３８の一対の周壁部４４，４５に沿って挿入して、ケース蓋３９をケース本体３８の開口部３７側に嵌合させる。
【００３８】
すると保持部材５３が進入するに伴って、電源基板３３が相対的に案内溝６１に案内されて嵌合するので、電源基板３３がケース本体３８内で表板部４２側へと移動し、そのコネクタ４１が段部４８の開口４９に嵌合する。そして、ケース蓋３９がケース本体３８の開口部３７に嵌合すると、保持部材５３により電源基板３３をケース本体３８内に固定できる。なお、ケース蓋３９の固定構造は、固定手段、係合部による係合構造の何れでも良い。
【００３９】
図１５は本発明の第５の実施形態を例示する。この実施形態では、ケース本体３８の表板部４２と電源基板３３との間に保持部材５３が挿入され、この保持部材５３とケース本体３８の裏板部４３の受け部６４との間で電源基板３３の相対向する端縁側を表裏方向に挟持するようにしている。
【００４０】
裏板部４３の相対向する周壁部４４，４５側には、電源基板３３の裏側に突出する端子の一部が裏板部４３と接触しないように、裏板部４３と電源基板３３との間に間隔を保持するための受け部６４が形成されている。保持部材５３は、ケース本体３８の表板部４２、取り分けその段部４８側と電源基板３３との間に、各周壁部４４，４５に沿って挿脱自在に挿入されている。またケース本体３８の段部４８には、電源基板３３のコネクタ４１に対応して開口４９が形成され、コネクタ４１に外部コネクタを接続する場合には、この開口４９を経て外部コネクタをケース本体３８内に挿入するようになっている。
【００４１】
図１６及び図１７は本発明の第６の実施形態を例示する。この実施形態では、ケース蓋３９をケース本体３８に装着した状態で封止する複数個の封止手段６６が設けられている。封止手段６６は、その一部を損壊して開封するようになっており、開封後に他の封止手段６６で封止すれば、前の封止手段６６側に損壊痕が残るように構成されている。
【００４２】
各封止手段６６は、封止具６７と、ケース蓋３９（又はケース本体３８）側に設けられ且つ封止具６７を保持する保持部６８と、ケース本体３８（又はケース蓋３９）側に設けられ且つ封止具６７が離脱不能に係合する受け部６９と、保持部６８（又は受け部６９）とケース蓋３９（又はケース本体３８）との間に設けられた開封用の損壊部７０とを備えている。
【００４３】
封止具６７は頭部７１と係合部７２とを有する。保持部６８は有底状であり、その底部７３側に封止具６７が挿通されている。受け部６９は、ケース本体３８の開口部３７側の突出部７４に形成され、保持部６８と反対側が閉鎖されている。受け部６９内には、封止時に封止具６７の係合部７２が係合する係止部７５が中間に形成されている。損壊部７０は、工具等で容易に損壊できるように括れ状になっている。
【００４４】
封止具６７は、頭部７１が分離可能に保持部６８に連結されており、通常、図１６に仮想線で示すように保持部６８内に保持されている。ケース蓋３９をケース本体３８に装着した後、何れかの封止手段６６を使用して閉状態に封止する。この場合には、封止具６７を受け部６９側に押圧すると、その頭部７１が保持部６８から分離して押し込まれ、封止具６７の係合部７２が受け部６９の係止部７５に係合し、これによって離脱不能に封止できる。
【００４５】
開封する場合には、損壊部７０を工具等で切断して損壊すると、保持部６８がケース蓋３９から分離して、封止具６７により受け部６９側に結合した状態で残るので、ケース蓋３９をケース本体３８から分離できる。また損壊部７０に損壊痕が残るため、不正に開封しても、その損壊痕で容易に発見できる。再度、封止する場合には、他の封止手段６６を利用して封止する。
【００４６】
以上、本発明の各実施形態について詳述したが、本発明はこの実施形態に限定されるものではなく、本発明の趣旨を逸脱しない範囲で種々の変更が可能である。例えば、各実施形態では、電源基板３３を収納する電源基板ケース３４に採用した場合を例示しているが、本発明は、基板と基板ケースとの相対的構造に関するものであって、電源基板ケース３４に限定されるものではなく、主制御基板ケース２５、ランプ制御基板ケース２７、音声制御基板ケース２９、払い出し制御基板ケース３２等とその内部の主制御基板２４、ランプ制御基板２６、音声制御基板２８、払い出し制御基板３１との関係でも同様に実施可能である。またその基板ケース等は、パチンコ機、アレンジボール機、雀球遊技機等の弾球遊技機の他、回胴式遊技機等の各種の遊技機に使用するものであっても良い。
【００４７】
ケース本体３８とケース蓋３９の固定手段は、ネジ等によるネジ式、被係合部５８と係合部６０とを含む係合式等を利用しても良いし、その他のものを利用しても良い。係合手段を利用する場合には、その被係合部５８と係合部６０は、ケース本体３８とケース蓋３９との何れに設けても良い。ケース本体３８、ケース蓋３９の形状、構造は、その基板ケースの用途、装着箇所に応じて適宜変更可能である。封止手段６６は、他の構造でも良い。
【００４８】
またケース蓋３９は、ケース本体３８の開口部３７側を着脱自在に塞ぐものであれば良く、各実施形態に例示のように必ずしもケース本体３８の開口部３７内に内嵌させる必要はなく、ケース本体３８の開口部３７側の外側に外嵌させるようにしても良い。基板ケースを遊技機の所要箇所に着脱自在に装着する場合の装着手段は、自在に選択すれば良い。
【図面の簡単な説明】
【００４９】
【図１】本発明の第１の実施形態を示す弾球遊技機の正面図である。
【図２】本発明の第１の実施形態を示す弾球遊技機の背面図である。
【図３】本発明の第１の実施形態を示す電源基板ケースの背面図である。
【図４】本発明の第１の実施形態を示す電源基板ケースの縦断面図である。
【図５】図３のＸ−Ｘ線断面図である。
【図６】本発明の第１の実施形態を示す電源基板ケースの分解斜視図である。
【図７】本発明の第１の実施形態を示すケース蓋の斜視図である。
【図８】本発明の第１の実施形態を示す組み立て過程の断面図である。
【図９】本発明の第２の実施形態を示す電源基板ケースの背面図である。
【図１０】本発明の第３の実施形態を示す電源基板ケースの縦断面図である。
【図１１】本発明の第３の実施形態を示す電源基板ケースの分解斜視図である。
【図１２】本発明の第４の実施形態を示す電源基板ケースの横断面図である。
【図１３】本発明の第４の実施形態を示す電源基板ケースの縦断面図である。
【図１４】本発明の第４の実施形態を示すケース蓋の斜視図である。
【図１５】本発明の第５の実施形態を示す電源基板ケースの横断面図である。
【図１６】本発明の第６の実施形態を示す電源基板ケースの斜視図である。
【図１７】本発明の第６の実施形態を示す封止手段の拡大断面図である。
【符号の説明】
【００５０】
３３  電源基板
３４  電源基板ケース
３７  開口部
３８  ケース本体
３９  ケース蓋
４０  電気部品
４１  コネクタ
４２  表板部
４３  裏板部
４８  段部
４９  開口
５３  保持部材
５８  被係合部
６０  係合部
６６  封止手段
【図１】
2006218325.tif 000003
【図２】
2006218325.tif 000004
【図３】
2006218325.tif 000005
【図４】
2006218325.tif 000006
【図５】
2006218325.tif 000007
【図６】
2006218325.tif 000008
【図７】
2006218325.tif 000009
【図８】
2006218325.tif 000010
【図９】
2006218325.tif 000011
【図１０】
2006218325.tif 000012
【図１１】
2006218325.tif 000013
【図１２】
2006218325.tif 000014
【図１３】
2006218325.tif 000015
【図１４】
2006218325.tif 000016
【図１５】
2006218325.tif 000017
【図１６】
2006218325.tif 000018
【図１７】
2006218325.tif 000019